(57)【要約】【課題】ＬＥＤ発光部を多多角形状に配置した場合でも、導光板の支持部が大型化するのを防止できるＬＥＤ照明器具を提供する。【解決手段】ＬＥＤ照明器具１０Ａは、器具本体２０と、器具本体２０に収容されるＬＥＤ発光部３１と、器具本体２０に支持されるとともにＬＥＤ発光部３１の出射方向に対して入射端面３２１が対面するように配置された導光板３２と、を有する。ＬＥＤ発光部３１は、ＬＥＤチップ３１１が実装された複数の基板３１２が多角形状に配列されている。そして、器具本体２０に、各基板３１２の配列形状に対応した多角形状の側部２４と、側部２４に連続するとともに導光板３２が接触可能な鍔部２５とを設けた。これにより、ＬＥＤ発光部３１と導光板３２の入射端面３２１までの距離を一律にすることができるので、導光板３２の支持部を小さくして、支持部の大型化重量化を防止することができる。【選択図】図４
2015095392.tif 000002
【特許請求の範囲】
【請求項１】
器具本体と、
前記器具本体に収容されるＬＥＤ発光部と、
前記器具本体に支持されるとともに、前記ＬＥＤ発光部が入射端面に対面して配置された導光板と、を備え、
前記ＬＥＤ発光部は、ＬＥＤチップが実装された複数の基板が多角形状に配列されてなり、
前記器具本体は、前記各基板の配列形状に対応した多角形状の側部と、前記側部に連続するとともに前記導光板が接触可能な鍔部とを有するＬＥＤ照明器具。
【請求項２】
請求項１に記載のＬＥＤ照明器具において、
前記ＬＥＤ発光部は、前記側部の外側に配置されているＬＥＤ照明器具。
【請求項３】
請求項１に記載のＬＥＤ照明器具において、
前記ＬＥＤ発光部は、前記側部の内側に配置されているＬＥＤ照明器具。
【請求項４】
請求項２または請求項３に記載のＬＥＤ照明器具において、
前記器具本体に設けられ、前記導光板における前記鍔部に接触していない面に接触するカバー部材を有するＬＥＤ照明器具。
【請求項５】
請求項４に記載のＬＥＤ照明器具において、
前記カバー部材は、前記導光板に対して平行な平板部と、前記平板部に連続するとともに前記導光板に先端が接触する傾斜部とを有し、
前記ＬＥＤ発光部は、前記カバー部材に覆われるＬＥＤ照明器具。
【請求項６】
請求項５に記載のＬＥＤ照明器具において、
前記傾斜部の外面が反射面であるＬＥＤ照明器具。
【発明の詳細な説明】
【技術分野】
【０００１】
本発明は、光源としてＬＥＤ発光部を有するＬＥＤ照明器具に関するものである。
【背景技術】
【０００２】
従来、光源としてＬＥＤ発光部を用いたＬＥＤ照明器具が知られている（例えば、特許文献１参照）。
図７に示すように、特許文献１に記載の照明器具１００では、天井面１０１等に取り付けられる円板状のシャーシ１０２を有する。シャーシ１０２には、円板状であって光拡散性を有する透光カバー１０３が取り付けられている。透光カバー１０３の中央部には、円板状のセンターカバー１０４が、着脱可能に取り付けられている。なお、シャーシ１０２の内面は、反射面１１０となっている。
【０００３】
シャーシ１０２には、ＬＥＤ発光部（ＬＥＤモジュール）１０５が設けられており、ＬＥＤ発光部１０５を制御する制御部（図示省略）が収容されている。ＬＥＤ発光部１０５は、細長い矩形状のＬＥＤ基板が用いられており、８個のＬＥＤ発光部を全体正八角形状に配置している。ＬＥＤ発光部１０５にはレンズ１０９が設けられており、ＬＥＤ発光部１０５から放射された光を集光し、集光した光を所定角度上方へ放射する。
シャーシ１０２には、回路基板１０６が取り付けられており、光センサ（照度センサ）１０７を実装したセンサ基板１０８が接続されている。また、光センサ１０７は、センターカバー１０４に設けられた貫通孔を通して、下方に露出している。
【０００４】
従って、各ＬＥＤ発光部１０５から発せられた光は、レンズ１０９により集光されて上方へ照射され、反射面１１０で下方へ反射して透光カバー１０３から出射される。
このとき、光センサ１０７で検出した照度に応じて、制御部（図示省略）は、ＬＥＤ発光部１０５からの光の明るさを調整する。
【先行技術文献】
【特許文献】
【０００５】
【特許文献１】特開２０１２−２２８４９号公報（第３図）
【発明の概要】
【発明が解決しようとする課題】
【０００６】
ところで、ＬＥＤ発光部から発せられた光を照射するのに、導光板を用いる場合がある。このような場合に、前述したような特許文献１に記載の照明器具のように、ＬＥＤ発光部を正多角形状に配置し、光を導光板に入射させるために導光板の中心にＬＥＤ発光部を収容するような円形の開口を設けることが考えられる。
しかしながら、円形の開口の内側に直線（平板）状のＬＥＤ発光部を配置すると、ＬＥＤ基板の長手方向中央と端部とでは、導光板の入射端面までの距離が異なる。このように、導光板の固定距離が異なるので、取付部が大型化し、重量が重くなるという問題があった。
【０００７】
本発明は、従来の問題を解決するためになされたもので、ＬＥＤ発光部を多角形状に配置した場合でも、導光板の取付部が大型化するのを防止できるＬＥＤ照明器具を提供することを目的とする。
【課題を解決するための手段】
【０００８】
本発明のＬＥＤ照明器具は、器具本体と、前記器具本体に収容されるＬＥＤ発光部と、前記器具本体に支持されるとともに、前記ＬＥＤ発光部が入射端面に対面して配置された導光板と、を備え、前記ＬＥＤ発光部は、ＬＥＤチップが実装された複数の基板が多角形状に配列されてなり、前記器具本体は、前記各基板の配列形状に対応した多角形状の側部と、前記側部に連続するとともに前記導光板が接触可能な鍔部とを有するものである。
【０００９】
また、本発明のＬＥＤ照明器具では、前記ＬＥＤ発光部は、前記側部の外側に配置されているものである。
【００１０】
また、本発明のＬＥＤ照明器具では、前記ＬＥＤ発光部は、前記側部の内側に配置されているものである。
【００１１】
また、本発明のＬＥＤ照明器具は、前記器具本体に設けられ、前記導光板における前記鍔部に接触していない面に接触するカバー部材を有するものである。
【００１２】
また、本発明のＬＥＤ照明器具では、前記カバー部材は、前記導光板に対して平行な平板部と、前記平板部に連続するとともに前記導光板に先端が接触する傾斜部とを有し、前記ＬＥＤ発光部は、前記カバー部材に覆われるものである。
【００１３】
さらに、本発明のＬＥＤ照明器具は、前記傾斜部の外面が反射面であるものである。
【発明の効果】
【００１４】
本発明では、器具本体に、各基板の配列形状に対応した多角形状の側部と、側部に連続するとともに導光板が接触可能な鍔部とを設けた。これにより、ＬＥＤ発光部と導光板の入射端面までの距離を一律にすることができるので、導光板の取付部を小さくして、取付部の大型化および重量化を防止することができるという効果を有するＬＥＤ照明器具を提供できる。
【図面の簡単な説明】
【００１５】
【図１】本発明に係る第１実施形態のＬＥＤ照明器具を天井面に取り付けた状態を下方から見た斜視図
【図２】本発明に係る第１実施形態のＬＥＤ照明器具を上方から見た斜視図
【図３】図１中ＩＩＩ−ＩＩＩ位置の断面図
【図４】図３中ＩＶ部分の拡大説明図
【図５】導光板の斜視図
【図６】本発明に係る第２実施形態のＬＥＤ照明器具における図４相当図
【図７】従来の照明器具の断面図
【発明を実施するための形態】
【００１６】
（第１実施形態）
以下、第１実施形態のＬＥＤ照明器具について、図面を用いて説明する。
図１に示すように、第１実施形態のＬＥＤ照明器具１０Ａは、例えば天井面１１に取り付けて、主に下方を照明するのに用いることができる。
なお、以下の説明においては、ＬＥＤ照明器具１０Ａを天井面１１に取り付けた状態で、天井面１１側を「上」、天井面１１と反対側（すなわち、床側）を「下」とする。
【００１７】
まず、ＬＥＤ照明器具１０Ａの全体構成を概説する。
図１および図２に示すように、ＬＥＤ照明器具１０Ａは、天井面１１に取り付けられる器具本体２０を有する。
図１および図３に示すように、器具本体２０の下側には上導光板３２が配置されており、上導光板３２の下側には、上導光板３２を下側から支持する不透光性の上カバー（カバー部材）３３が、器具本体２０に取り付けられている。
【００１８】
上カバー３３の下側には下導光板４２が配置されており、下導光板４２の下側には、下導光板４２を下側から支持する不透光性の下カバー４３が設けられている。
下カバー４３はリング形状をしており、下カバー４３の内側にはリング状のセンターレンズ５２が下カバー４３の内周に沿って設けられている。
センターレンズ５２の内側には、リング状の中央カバー６０が設けられ、中央カバー６０の内側には円板状の蓋６１が着脱可能に取り付けられている。
中央カバー６０には、光センサ用の受光孔６２が設けられている。
【００１９】
以下、各構成部位について詳述する。
図２および図３に示すように、器具本体２０は、例えば、アルミニウム等の金属で全体円板形状に形成されている。器具本体２０の中央には、天井面１１に取り付けられている引掛けシーリング（図示省略）に取り付けられる取付アダプタ２２用の開口２１を有する。
器具本体２０は、中央の平坦部２３の外周端から下方に向かって折り曲げられて、立壁（側部）２４が形成されている。立壁２４は、下端部が外側へ折り曲げられて水平部（鍔部）２５が設けられている。
【００２０】
立壁２４は、後述する上ＬＥＤ発光部（ＬＥＤ発光部）３１の配置に対応しており、平面視で例えば六角形に形成されていて、各立壁２４は、平面状に形成されている。なお、平坦部２３の上面には、複数個（ここでは、例えば３個）の弾性部材２６が取り付けられている。
従って、蓋６１を外して、取付アダプタ２２を引掛シーリングに取り付けることにより電気的及び機械的に接続され、器具本体２０は天井面１１に取り付けられる。このとき、弾性部材２６が器具本体２０と天井面１１との間で弾性変形して、器具本体２０のぐらつきを防止する。
【００２１】
図３および図４に示すように、器具本体２０の内側には、上発光部３０が設けられている。上発光部３０は、上ＬＥＤ発光部３１および上導光板３２を有する。
上ＬＥＤ発光部３１は、ＬＥＤチップ３１１とＬＥＤチップ３１１が実装されたＬＥＤ基板（基板）３１２を有する。
ＬＥＤ基板３１２は細長い矩形板状を呈しており、器具本体２０の内側で、平坦部２３の下側に設けられている。ＬＥＤ基板３１２は、立壁２４の配置に対応した多角形状（ここでは、六角形）を形成するように、６個設けられている。
【００２２】
また、図３に示すように、上ＬＥＤ発光部３１の下方には、上カバー３３が、器具本体２０に取り付けられている。上カバー３３は、器具本体２０に取り付けられて外側へ水平に延びるリング状の水平支持部（平板部）３３１と、水平支持部３３１の外周端から外側に向かって上昇する傾斜支持部（傾斜部）３３２を有する。傾斜支持部３３２の外面は、反射面となっている。
傾斜支持部３３２の上端（先端）３３３は、器具本体２０の水平部２５と対向しており、器具本体２０の水平部２５と上カバー３３の上端３３３との間には、上導光板３２が支持されている（図４参照）。
【００２３】
図５に示すように、上導光板３２は、全体円板状を呈しており、中央には中空部３２２を有する。中空部３２２は、器具本体２０に支持され六角形に配置された上ＬＥＤ発光部３１に対応して、六角形に形成されている。
上導光板３２は、表面にリブや印刷を設けて配光制御することができる。
上導光板３２の中空部３２２側端面は、ＬＥＤ基板３１２のＬＥＤチップ３１１に対向する入射端面３２１となる（図４参照）。
【００２４】
図１および図３に示すように、上カバー３３の下側には、下カバー４３が器具本体２０に支持されている。上カバー３３と下カバー４３との間には、下導光板４２が支持されている。下導光板４２は、図３に示すとおり、器具本体２０から外方に延びて設けられている。
図３に示すように、下導光板４２は、上カバー３３の水平支持部３３１の下面と、下カバー４３の上端４３１との間に支持されている。
なお、下導光板４２は、上導光板３２よりも小さいが、前述した上導光板３２と同様の構成をしているので、詳細な説明は省略することとする（図５中カッコ書き参照）。
【００２５】
上カバー３３と下カバー４３との間には、下発光部４０が設けられている。下発光部４０は、下ＬＥＤ発光部４１および下導光板４２を有する。
下ＬＥＤ発光部４１は、ＬＥＤチップ４１１とＬＥＤチップ４１１が実装されたＬＥＤ基板４１２を有する。ＬＥＤチップ４１１には、下導光板４２の中空部４２２側端面である入射端面４２１が対向している（図５中カッコ書き参照）。
【００２６】
下カバー４３は不透光性であり、上端４３１が下導光板４２に接触する押え部４３２と、押え部４３２に連結される天板部４３３を有する。
センターレンズ５２の上方には、上ＬＥＤ発光部３１および下ＬＥＤ発光部４１の出射方向（水平方向）に対して直交する方向、すなわち、下方に光を照射する第２発光部５０が設けられている。
【００２７】
第２発光部５０は、第２ＬＥＤ発光部５１と、中央カバー６０に隣接して設けられるセンターレンズ５２と、第２ＬＥＤ発光部５１と中央カバー６０との間に設けられた筒部５３を有する。
第２ＬＥＤ発光部５１は、リング板状のＬＥＤ基板５１２に、ＬＥＤチップ５１１をリング状に複数個配列して形成することができ、ＬＥＤチップ５１１は、下方へ向いている。第２ＬＥＤ発光部５１の照射方向（下方）には、センターレンズ５２が取り付けられている。
従って、第２ＬＥＤ発光部５１から発せられた光は、センターレンズ５２を介して配光制御され、主に真下に照射されて照明する。
【００２８】
従って、上ＬＥＤ発光部３１のＬＥＤチップ３１１から水平方向外向きに発せられた光は、上導光板３２の入射端面３２１から上導光板３２に入射し、上導光板３２の内部を導光されながら下方および上方に出射する。
同様に、下ＬＥＤ発光部４１のＬＥＤチップ４１１から水平方向外向きに発せられた光は、下導光板４２の入射端面４２１から下導光板４２に入射し、下導光板４２の内部を導光されながら下方および上方に出射する。
さらに、第２ＬＥＤ発光部５１のＬＥＤチップ５１１から下方へ発せられた光は、センターレンズ５２を透過して下方に照射される。
【００２９】
ＬＥＤ照明器具１０Ａの作用効果について説明する。
ＬＥＤ照明器具１０Ａは、器具本体２０と、器具本体２０に収容される上ＬＥＤ発光部３１と、器具本体２０に支持されるとともに上ＬＥＤ発光部３１の出射方向に対して入射端面３２１が対面するように配置される上導光板３２と、を有する。
上ＬＥＤ発光部３１は、ＬＥＤチップ３１１が実装された複数のＬＥＤ基板３１２を六角形に配置して器具本体２０に取り付けられる。
【００３０】
そして、器具本体２０に、各ＬＥＤ基板３１２の配列形状に対応した六角形状の立壁２４と、立壁２４に連続するとともに上導光板３２が接触可能な水平部２５とを設けた。
これにより、上ＬＥＤ発光部３１と上導光板３２の入射端面３２１までの距離を一律にすることができるので、上導光板３２の支持部を小さくして、器具本体２０の大型化および重量化を防止することができる。
【００３１】
また、ＬＥＤ照明器具１０Ａでは、ＬＥＤ発光部を、立壁２４の内側に配置することができる。
【００３２】
また、ＬＥＤ照明器具１０Ａは、器具本体２０に設けられ、上導光板３２において器具本体２０の水平部２５に接触していない面に接触する上カバー３３を有する。
これにより、上導光板３２を確実に支持することができる。
【００３３】
また、ＬＥＤ照明器具１０Ａでは、上カバー３３は、上導光板３２に対して平行な水平支持部３３１と、水平支持部３３１に連続するとともに上導光板３２に上端３３３が接触する傾斜支持部３３２とを有する。
そして、上ＬＥＤ発光部３１は、上カバー３３に覆われる。
これにより、上ＬＥＤ発光部３１から光が漏れるのを防止できる。
【００３４】
さらに、ＬＥＤ照明器具１０Ａでは、傾斜支持部３３２の外面が、反射面となっている。
このため、上ＬＥＤ発光部３１および下ＬＥＤ発光部４１から発せられた光で、傾斜支持部３３２に照射された光を下方へ反射するので、効率よく照明することができる。
【００３５】
（第２実施形態）
次に、第２実施形態のＬＥＤ照明器具について説明する。
なお、前述した第１実施形態のＬＥＤ照明器具１０Ａと共通する部位には同じ符号を付して、重複する説明を省略することとする。
図６に示すように、第２実施形態のＬＥＤ照明器具１０Ｂでは、上ＬＥＤ発光部３１が、立壁２４の外側に配置され、上導光板３２の下面が水平部２５により支持されている。
【００３６】
ＬＥＤ照明器具１０Ｂの作用効果について説明する。
ＬＥＤ照明器具１０Ｂでは、上ＬＥＤ発光部３１は立壁２４の外側に配置され、上導光板３２の下面が水平部２５によって支持されている。
このように構成しても、前述した第１実施形態のＬＥＤ照明器具１０Ａと同様の作用、効果を得ることができる。
【００３７】
なお、本発明のＬＥＤ照明器具は、前述した各実施形態に限定されるものでなく、適宜な変形、改良等が可能である。
例えば、前述した各実施形態においては、上ＬＥＤ発光部３１をＬＥＤ発光部とした場合について説明したが、下ＬＥＤ発光部４１をＬＥＤ発光部とすることもできる。
【００３８】
また、前述した各実施形態においては、ＬＥＤ基板３１２、４１２を正六角形状に配置し、上導光板３２および下導光板４２に正六角形状の中空部３２２、４２２を設けた場合を例示した。
これに限らず、ＬＥＤ基板３１２、４１２の配置および中空部３２２、４２２を、八角形等の多角形状とすることも可能である。
【００３９】
さらに、前述した各実施形態においては、上ＬＥＤ発光部３１および下ＬＥＤ発光部４１の外側に上導光板３２および下導光板４２をそれぞれ設けて、外向きに光を照射して上導光板３２および下導光板４２に入射する場合を例示した。
これに限らず、導光板を内側（中心側）に配置し、上ＬＥＤ発光部３１および下ＬＥＤ発光部４１から光を内向きに照射して導光板に入射することも可能である。
【符号の説明】
【００４０】
１０Ａ、１０Ｂ  ＬＥＤ照明器具
２０  器具本体
２４  立壁（側部）
２５  水平部（鍔部）
３１  上ＬＥＤ発光部（ＬＥＤ発光部）
３１１  ＬＥＤチップ
３１２  ＬＥＤ基板（基板）
３２  導光板
３２１  入射端面
３３  上カバー（カバー部材）
３３１  平板部
３３２  傾斜支持部（傾斜部）
３３３  上端（先端）
３３４  反射面
【図１】
2015095392.tif 000003
【図２】
2015095392.tif 000004
【図３】
2015095392.tif 000005
【図４】
2015095392.tif 000006
【図５】
2015095392.tif 000007
【図６】
2015095392.tif 000008
【図７】
2015095392.tif 000009